(57)【要約】【課題】この発明は、箱形態に組み立てた組み箱の角隅部に液漏れが生じことを防止でき、組み立てやすく止水性に優れた組み箱の提供を目的とする。【解決手段】箱展開シート１１の側板１３，１４を起立する際、隣り合う側板１３，１４の間に連設した折曲げ片１７を側板１３の内面側に沿うように折り曲げる。側板１３の左右上辺部に連設した折返し片１８を、側板１３の内面側に沿わせるように折り返して、先に折り曲げられた折曲げ片１７に重ね合わせる。折返し片１８に連設した差込み片１９を、先に折り曲げられた折曲げ片１７の斜辺部１７ａに沿って、側板１３と折曲げ片１７との間に対して差し込まれるように折り返しながら、側板１３と折曲げ片１７との間に下方から差し込んで係止する。これにより、組み箱１０Ａを、上方が開放された箱形態に組み立てる。【選択図】図１
2014221660.tif 000002
【特許請求の範囲】
【請求項１】
方形に形成した底板と、該底板の各辺部に折り曲げ罫線を介して折り曲げ可能に連設した複数の側板と、隣り合う側板の間に折り曲げ罫線を介して折り曲げ可能に連設した折曲げ片と、を備えた組み箱であって、
前記折曲げ片の二つ折りが許容される折り曲げ罫線を、隣り合う前記側板と前記折曲げ片との連設部分に付設した２本の折り曲げ罫線の交点を起点として、該折曲げ片が二等分される対角線上に付設し、
前記側板に沿うように折り曲げた前記折曲げ片に対して重ね合わされる折返し片を、前記折曲げ片を両端に連設した前記側板の上辺部に折り曲げ罫線を介して折り返し可能に連設し、
前記折返し片を前記曲げ片に対して重ね合わせた状態に保持する折返し片保持手段を、前記折曲げ片と前記折返し片とが互いに重ね合わされる少なくとも一方の重合部分に設けた
組み箱。
【請求項２】
前記折返し片保持手段を、
前記側板の前記折曲げ片と対応する幅方向左右上辺部に折り曲げ罫線を介して連設した一対の前記折返し片と、
前記折返し片における前記側板の幅方向中央部と対応する部分に、
前記折曲げ片を両端に連設した前記側板と、該側板に沿うように折り曲げた前記折曲げ片との間に対して差込みが許容されるように折り曲げ罫線を介して折り返し可能に連設した差込み片とで構成した
請求項１に記載の組み箱。
【請求項３】
前記折返し片保持手段を、
前記側板の前記折曲げ片と対応する幅方向左右上辺部に折り曲げ罫線を介して連設した一対の前記折返し片と、
前記折返し片の前記折曲げ片に重ね合わされる端部に連設した差込み片と、
前記折曲げ片の前記折返し片が重ね合わされる重合部分に設けた前記差込み片の差込みが許容されるスリット状の差込み孔とで構成した
請求項１に記載の組み箱。
【請求項４】
前記折返し片保持手段を、
前記側板の上辺部に折り曲げ罫線を介して連設した該側板と略同一長さの前記折返し片と、
前記折返し片の幅方向中央上辺部に、
前記折曲げ片を両端に連設した前記側板と、該側板に沿うように折り曲げた左右の前記折曲げ片との間に対して差込みが許容されるように折り曲げ罫線を介して折り返し可能に連設した差込み片とで構成した
請求項１に記載の組み箱。
【請求項５】
前記側板と前記折返し片との連設部分に付設した折り曲げ罫線を、該側板に沿うように折り曲げた前記折曲げ片の肉厚に応じて所定間隔に隔てて複数本配置した
請求項１〜４のいずれか一つに記載の組み箱。
【請求項６】
前記折返し片と前記差込み片との連設部分に付設した折り曲げ罫線を、前記側板に沿うように折り曲げた前記折曲げ片の肉厚に応じて所定間隔に隔てて複数本配置した
請求項２〜５のいずれか一つに記載の組み箱。
【請求項７】
前記折曲げ片の対角線に沿って付設した折り曲げ罫線を、
前記２本の折り曲げ罫線が交差する交点よりも前記底板側に向けて所定長さ延長した
請求項１〜６のいずれか一つに記載の組み箱。
【発明の詳細な説明】
【技術分野】
【０００１】
この発明は、例えば、植物の栽培、魚介類、野菜、食品等の止水を必要とする用途に用いられる組み箱に関する。
【背景技術】
【０００２】
従来、例えば、魚介類を輸送するために発泡スチロール製の魚函が用いられていたが、発泡スチロールは廃棄処理上の難点があるところから、近年は、発泡スチロールの魚函に替わるものとして、箱形態の液漏れ防止カートンが提案されている（特許文献１参照）。
【０００３】
特許文献１の液漏れ防止カートンは、角隅部からの液漏れを防止するために、四角形状を有する底板の前後端縁に連設した前後側壁と、該底板の左右端縁に連設した左右側壁とを垂直に起立させ、隣り合う側壁の短辺部に切れ目を入れないで連設した折込み片を内側へ折り込んで箱形態に組み立てる。
【０００４】
しかし、上述の液漏れ防止カートンを箱形態に組み立てる際、角隅部の折込み片を内側へ折り込んだ状態において、前後側壁、及び左右側壁に対して接着剤にて固定するが、角隅部の折込み片は、折込み片自体の復元力によって折り込み前の状態に復帰しようとするため、接着剤が硬化するまでに、折込み片と側壁との接着部分が分離しやすく、折込み片を折り込んだ状態に接着することができない。このため、折込み片と側壁との間に隙間が生じやすく、液漏れを完全に防止することが困難である。
【先行技術文献】
【特許文献】
【０００５】
【特許文献１】特開平７−２５７５４７号公報
【発明の概要】
【発明が解決しようとする課題】
【０００６】
この発明は、箱形態に組み立てた組み箱の角隅部に液漏れが生じことを防止でき、組み立てやすく止水性に優れた組み箱を提供することを目的とする。
【課題を解決するための手段】
【０００７】
この発明は、方形に形成した底板と、該底板の各辺部に折り曲げ罫線を介して折り曲げ可能に連設した複数の側板と、隣り合う側板の間に折り曲げ罫線を介して折り曲げ可能に連設した折曲げ片と、を備えた組み箱であって、前記折曲げ片の二つ折りが許容される折り曲げ罫線を、隣り合う前記側板と前記折曲げ片との連設部分に付設した２本の折り曲げ罫線の交点を起点として、該折曲げ片が二等分される対角線上に付設し、前記側板に沿うように折り曲げた前記折曲げ片に対して重ね合わされる折返し片を、前記折曲げ片を両端に連設した前記側板の上辺部に折り曲げ罫線を介して折り返し可能に連設し、前記折返し片を前記曲げ片に対して重ね合わせた状態に保持する折返し片保持手段を、前記折曲げ片と前記折返し片とが互いに重ね合わされる少なくとも一方の重合部分に設けた組み箱であることを特徴とする。
【０００８】
ここで、上記組み箱は、例えば、三角形、正方形、長方形、六角形等の多角形を有する箱形態にて構成することができる。  
この発明によれば、箱形態に組み立てた組み箱の角隅部に液漏れが生じことを防止でき、組み立てやすく止水性に優れた組み箱を提供することができる。
【０００９】
詳しくは、底板の各辺部に連設した各側板を、例えば、底板に対して垂直に起立する際、あるいは、起立した後、隣り合う側板の間に連設した折曲げ片を、該折曲げ片を両端に連設した側板に沿うように折り曲げる。
【００１０】
さらに、側板の上辺部に連設した折返し片を折り返して、側板に沿うように折り曲げた折曲げ片に対して重ね合わせる。さらに、折返し片保持手段により折返し片を折曲げ片に対して重ね合わせた状態に保持する。
【００１１】
上述のように折り曲げた折曲げ片は、折曲げ片自体の復元力によって折り曲げ前の状態に復帰しようとするが、折返し片を、折曲げ片に対して重ね合わされるように折り返したうえ、折返し片保持手段により折曲げ片に対して重ね合わせた状態に保持するため、折曲げ片を側板に沿うように折り曲げた状態に保持することができる。  
この結果、組み箱の折曲げ片を折り曲げてなる角隅部に液漏れするような隙間が生じることを防止できる。
【００１２】
上述のように組み立てた組み箱は、液漏れ防止に必要な止水性を備えているので、例えば、花瓶、植木鉢等の容器を机やテーブルの上に置くための受皿として用いたり、単数又は複数の容器を収容するための容器収容箱として用いることができる。また、植物栽培用の液体や土、培地を収容する用途等にも用いることができる。
【００１３】
また、上述の折曲げ片は、隣り合う側板と折曲げ片との連設部分に付設した折り曲げ罫線と、該折曲げ片の対角線上に付設した折り曲げ罫線とによって、箱形態に組み立てた組み箱の内側、あるいは、外側に向けて三角形状に突出するように折り曲げることができる。
【００１４】
すなわち、折曲げ片、折返し片を内側に折り曲げた箱形態と、外側に折り曲げた箱形態とに、組み箱の組み立て形態を用途に応じて選択することができる。  
さらに、折曲げ片、折返し片が内側に折り曲げられた組み箱を箱本体として、折曲げ片、折返し片が外側に折り曲げられた組み箱を蓋体として組み合わせることができる。  
つまり、蓋体とする組み箱を、箱本体とする組み箱に嵌合した際、箱本体とする組み箱の外面と、蓋体とする組み箱の内面とが互いに密着されるため、液漏れが生じることを防止できる。
【００１５】
この発明の態様として、前記折返し片保持手段を、前記側板の前記折曲げ片と対応する幅方向左右上辺部に折り曲げ罫線を介して連設した一対の前記折返し片と、前記折返し片における前記側板の幅方向中央部と対応する部分に、前記折曲げ片を両端に連設した前記側板と、該側板に沿うように折り曲げた前記折曲げ片との間に対して差込みが許容されるように折り曲げ罫線を介して折り返し可能に連設した差込み片とで構成することができる。
【００１６】
この発明によれば、組み箱の折曲げ片を折り曲げてなる角隅部に液漏れが生じことをより確実に防止でき、高い止水性を確保することができる。  
詳しくは、隣り合う側板の間に連設した折曲げ片を側板に沿うように折り曲げた際、側板の上辺部に連設した一対の折返し片を折り返して、側板に沿うように折り曲げた折曲げ片に対してそれぞれ重ね合わせる。
【００１７】
さらに、折返し片に連設した差込み片を、折曲げ片を両端に連設した側板と、該側板に沿うように折り曲げた折曲げ片との間に対して差込みが許容されるように折り返して、差込み片を側板と折曲げ片との間にそれぞれ差し込む。
【００１８】
すなわち、折返し片を、折曲げ片に対して重ね合わされるように折り返したうえ、折返し片の差込み片を折り返して側板と折曲げ片との間に差し込むため、折曲げ片を側板に沿うように折り曲げた状態により確実に保持することができる。  
この結果、組み箱の折曲げ片を折り曲げてなる角隅部に液漏れするような隙間が生じることをより確実に防止でき、止水された状態を長期に亘って保つことができる。
【００１９】
また、この発明の態様として、前記折返し片保持手段を、前記側板の前記折曲げ片と対応する幅方向左右上辺部に折り曲げ罫線を介して連設した一対の前記折返し片と、前記折返し片の前記折曲げ片に重ね合わされる端部に連設した差込み片と、前記折曲げ片の前記折返し片が重ね合わされる重合部分に設けた前記差込み片の差込みが許容されるスリット状の差込み孔とで構成することができる。
【００２０】
ここで、上記差込み孔は、例えば、差込み片の差込み方向と対向する方向に向けて弧状に突出する弧形状に形成するか、差込み方向に向けて窪んだ凹形状に形成するか、差込み方向と直交する直線形状等に形成することができる。
【００２１】
この発明によれば、組み箱の折曲げ片を折り曲げてなる角隅部に液漏れが生じることをより確実に防止でき、高い止水性を確保することができる。  
詳しくは、隣り合う側板の間に連設した折曲げ片を側板に沿うように折り曲げた際、側板の幅方向左右上辺部に連設した折返し片を、側板に沿うように折り曲げた折曲げ片に対して重ね合わされるように折り返す。さらに、折返し片の差込み片を折曲げ片の差込み孔に差し込んで、折曲げ片を側板に沿うように折り曲げた状態に保持する。
【００２２】
すなわち、折返し片を、折曲げ片に対して重ね合わされるように折り返したうえ、折返し片の差込み片を折曲げ片の差込み孔に差し込むため、折曲げ片を側板に沿うように折り曲げた状態に保持することができる。  
この結果、組み箱の折曲げ片を折り曲げてなる角隅部に液漏れするような隙間が生じることをより確実に防止でき、止水された状態を長期に亘って保つことができる。
【００２３】
上述の差込み孔を、差込み片の差込み方向と対向する方向に向けて弧状に突出する弧形状に形成すれば、差込み片の差込み孔に対する差込みが容易に行え、組み箱を箱形態に組み立てる際の作業性が向上する。
【００２４】
また、この発明の態様として、前記折返し片保持手段を、前記側板の上辺部に折り曲げ罫線を介して連設した該側板と略同一長さの前記折返し片と、前記折返し片の幅方向中央上辺部に、前記折曲げ片を両端に連設した前記側板と、該側板に沿うように折り曲げた左右の前記折曲げ片との間に対して差込みが許容されるように折り曲げ罫線を介して折り返し可能に連設した差込み片とで構成することができる。
【００２５】
この発明によれば、組み箱の折曲げ片を折り曲げてなる角隅部に液漏れが生じことをより確実に防止でき、高い止水性を確保することができる。  
詳しくは、隣り合う側板の間に連設した折曲げ片を側板に沿うように折り曲げた際、側板の上辺部に連設した横長の折返し片を折り返して、側板に沿うように折り曲げた折曲げ片に対して重ね合わせる。
【００２６】
さらに、折返し片に連設した差込み片を、折曲げ片を両端に連設した側板と、該側板に沿うように折り曲げた折曲げ片との間に対して差込みが許容されるように折り返して、差込み片の左右辺部を、側板と折曲げ片との間に差し込む。
【００２７】
すなわち、折返し片を、折曲げ片に対して重ね合わされるように折り返したうえ、折返し片の差込み片を折り返して側板と折曲げ片との間に差し込むため、左右の折曲げ片を、横長の折返し片、及び差込み片の折り返しによって、側板に沿うように折り曲げた状態により確実に保持することができる。  
この結果、組み箱の折曲げ片を折り曲げてなる角隅部に液漏れするような隙間が生じることをより確実に防止でき、止水された状態を長期に亘って保つことができる。
【００２８】
また、この発明の態様として、前記側板と前記折返し片との連設部分に付設した折り曲げ罫線を、該側板に沿うように折り曲げた前記折曲げ片の肉厚に応じて所定間隔に隔てて複数本配置することができる。  
この発明によれば、側板に連設した折返し片を、側板に沿うように折り曲げた折曲げ片の厚みに応じて折り返すことができる。
【００２９】
詳しくは、隣り合う側板の間に連設した折曲げ片を側板に沿うように折り曲げた際、側板の上辺部に連設した折返し片を、複数本の折り曲げ罫線を介して、側板に沿うように折り曲げた折曲げ片に対して重ね合わされるように折り返して、折返し片を側板に沿うように折り返した状態に保持する。  
この結果、折返し片を、側板に沿うように折り曲げた折曲げ片に対して密着するように重ね合わせることができ、折返し片と折曲げ片との間に液漏れするような隙間が生じることを防止できる。
【００３０】
また、この発明の態様として、前記折返し片と前記差込み片との連設部分に付設した折り曲げ罫線を、前記側板に沿うように折り曲げた前記折曲げ片の肉厚に応じて所定間隔に隔てて複数本配置することができる。
【００３１】
この発明によれば、折返し片に連設した差込み片を、側板に沿うように折り曲げた折曲げ片の厚みに応じて折り返すことができる。  
詳しくは、隣り合う側板の間に連設した折曲げ片を側板に沿うように折り曲げた際、側板の上辺部に連設した折返し片を、側板に沿うように折り曲げた折曲げ片に対して重ね合わされるように折り返す。
【００３２】
さらに、折返し片に連設した差込み片を、複数本の折り曲げ罫線を介して、該折曲げ片を両端に連設した側板と、該側板に沿うように折り曲げた折曲げ片との間に対して差し込まれるように折り返して、差込み片を側板と折曲げ片との間に差し込むことにより、折曲げ片を側板に沿うように折り曲げた状態に保持する。
【００３３】
この結果、差込み片を、側板に沿うように折り曲げた折曲げ片に対して密着するように重ね合わせることができ、差込み片と折曲げ片との間に液漏れするような隙間が生じることを防止できる。
【００３４】
また、この発明の態様として、前記折曲げ片の対角線に沿って付設した折り曲げ罫線を、前記２本の折り曲げ罫線が交差する交点よりも前記底板側に向けて所定長さ延長することができる。
【００３５】
この発明によれば、隣り合う側板の間に連設した折曲げ片を、該折曲げ片を両端に連設した側板に沿う状態により正確に折り曲げることができる。  
詳しくは、折曲げ片の対角線に沿って付設した折り曲げ罫線を、隣り合う側板と折曲げ片との連設部分に付設した２本の折り曲げ罫線が交差する交点よりも底板側に向けて所定長さ延長しているので、２本の折り曲げ罫線の交点部分に生じる折り曲げ抵抗が小さく、折曲げ片を、２本の折り曲げ罫線が交差する交点まで確実に折り曲げることができる。
【００３６】
この結果、組み箱の折曲げ片を折り曲げてなる角隅部に液漏れするような隙間が生じさせることなく、鋭角となる折り曲げ角度により正確に折り曲げることができ、箱形態に組み立てた組み箱全体の体裁を良好なものとすることができる。
【００３７】
上述の組み箱は、例えば、ポリプロピレン（ＰＰ）、アモルファスポリエチレンテレフタレート（Ａ−ＰＥＴ）、生分解性プラスチック（ＰＬＡ）、ポリエチレン（ＰＥ）、ポリカーボネート（ＰＣ）、無機鉱物粉末含有シート（ストーンペーパー）等の単体又は複合した止水性を有するシート、あるいは、紙にプラスチックをコーティングしたり、ラミネート加工を施したシートで構成することができる。
【００３８】
なお、組み箱の角隅部からの液漏れを防止することが可能なシートであれば、シートの材質、肉厚、硬さ等は、例えば、組み箱に収容される収容物の種類、収容量、収容形態等に応じて変更することができ、上述のような材質のシートのみに限定されるものではない。  
また、組み箱に収容する収容物は、例えば、容器、液体、土、培地、あるいは、魚介類、野菜、食品等で構成することができる。
【００３９】
上述の連設部分に付設する折り曲げ罫線は、例えば、特開２００３−２６６５３２号公報、特開２００３−２９２０２３号公報、特開２００４−１８５８号公報、特開２００４−８３１２９号公報、特開２００４−３１５０７３号公報等に開示された折り曲げ罫線にて構成することができる。折り曲げ罫線は、図示しないトムソン型の打抜き機によりシートを厚み方向に打抜かず、該折り曲げ罫線の底部が残るような深さに形成している。
【００４０】
折り曲げ罫線は、例えば、平面から見て縄文形状、段付き形状（例えば、２段等の複数段）の形状、あるいは、深い部分と浅い部分とが折り曲げ罫線の底部に沿って長手方向に多数配置された溝形状等にて構成することができる。
【００４１】
また、折り曲げ罫線を長手方向に垂直な面で切断した断面形状は、例えば、Ｖ字形状、Ｗ字形状、半円形状、台形状等の何れか特定の形状又は複数を組み合わせた形状とすることができる。
【００４２】
さらに、折り曲げ罫線の溝形状、溝深さ、溝幅、溝長さ、溝内壁の傾斜角度等は、例えば、シートの材質、肉厚、硬さ、組み箱の大きさ、形状、あるいは、組み箱に収容される収容物の種類、収容量、収容形態等に応じて変更することができる。
【００４３】
ただし、折り曲げ罫線は、組み箱を展開した大きさ、及び刑事用に型抜きした箱展開シートを、折り曲げ罫線に沿って折り曲げた際、その折り曲げ罫線、及び折り曲げ罫線の周囲に、例えば、ひび割れ、ピンホール等が発生しないものとする。  
なお、折り曲げ罫線の代わりに、例えばミシン目や溝部、凹部、その他の折り目等を付設してもよい。
【発明の効果】
【００４４】
この発明によれば、箱形態に組み立てた組み箱の角隅部に液漏れが生じることを防止でき、組み立てやすく止水性に優れた組み箱を提供することができる。
【図面の簡単な説明】
【００４５】
【図１】実施例１の箱形態に組み立てた組み箱の斜視図。
【図２】図１の組み箱を展開した箱展開シートの展開図。
【図３】四辺の側板を起立し、四隅の折曲げ片を折り曲げた状態の平面図。
【図４】折返し片、及び差込み片の折り曲げ状態の説明図。
【図５】各片を外側に折り曲げて組み立てた組み箱の斜視図。
【図６】実施例２の組み箱を箱本体と蓋体として組み立てた状態の斜視図。
【図７】実施例３の折返し片、及び差込み片の折り曲げ状態の説明図。
【図８】実施例４の蓋体を開閉可能に連設した組み箱の斜視図。
【図９】実施例５の箱形態に組み立てた組み箱の斜視図。
【図１０】図９の折曲げ片を折り曲げ、折返し片を起立した状態の斜視図。
【図１１】実施例６の箱形態に組み立てた組み箱の斜視図。
【図１２】実施例７の組み箱を上下に重ね合わせた状態の斜視図。
【図１３】図１２の組み箱を形態保持箱に収容する状態の斜視図。
【図１４】図１２の組み箱を形態保持箱に収容した状態の平面図。
【発明を実施するための形態】
【００４６】
この発明の一実施形態を以下図面に基づいて詳述する。  
（実施例１）  
図１は実施例１の箱形態に組み立てた組み箱１０Ａの斜視図、図２は図１の組み箱１０Ａを展開した箱展開シート１１の展開図、図３は四辺の側板１３，１４を起立し、四隅の折曲げ片１７を折り曲げた状態の平面図である。
【００４７】
図４は折返し片１８、及び差込み片１９の折り曲げ状態の説明図であり、詳しくは、図４（ａ）は折返し片１８を内側へ折り返す状態の角隅部拡大図、図４（ｂ）は差込み片１９を折り返す状態の角隅部拡大図、図４（ｃ）は差込み片１９を側板１３と折曲げ片１７との間に差し込んだ状態の角隅部拡大図である。
【００４８】
実施例１の組み箱１０Ａは、約０．６ｍｍの肉厚に形成した無機鉱物粉末含有シート（ストーンペーパー）を、図示しないトムソン型の型抜き機にて、図１の組み箱１０Ａを展開した箱展開シート１１と対応する大きさ、及び形状に型抜きした後（図２参照）、その箱展開シート１１を、上方が開放された箱形態に組み立てて構成している（図１参照）。
【００４９】
無機鉱物粉末含有シートは、５０重量％〜９０重量％の無機鉱物粉末と、１０重量％〜４０重量％のプラスチックと、１重量％〜５重量％の添加剤とが含まれる組成物で構成している。  
なお、プラスチックは、例えば、生分解性プラスチック、スチロール、ポリプロピレン、塩化ビニル等の単一複合した材料で構成してもよい。
【００５０】
箱展開シート１１の底板１２は方形の平板部であり、実施例では底板１２を正方形としているが、底板１２は長方形であってもよい。  
以下の説明では、箱形態に組み立てた組み箱１０Ａの底板１２側を下方とし、底板１２と反対側の開放側を上方とする。図２における底板１２の図中下辺側を前側辺部１２ａとし、図中上辺側を後側辺部１２ａとして説明する。さらに、底板１２の図中右辺側を右側辺部１２ｂとし、図中左辺側を左側辺部１２ｂとして説明する。
【００５１】
箱展開シート１１における底板１２の前後辺部１２ａには、折り曲げ罫線１５ａを介して、前後側板１３を折り曲げ可能に連設している。底板１２の左右辺部１２ｂには、折り曲げ罫線１５ｂを介して、左右側板１４を折り曲げ可能に連設している。
【００５２】
これにより、四辺の側板１３，１４を、底板１２に対して垂直となるように起立することができる。  
なお、側板１３，１４は、下辺部から上辺部に向けて徐々に広くなる角度に傾斜した状態に起立することも可能である。
【００５３】
組み箱１０Ａの角隅部（四隅部）と対応する隣り合う側板１３，１４の短辺部には、折り曲げ罫線１５ｃを介して、折曲げ片１７を折り曲げ可能に連設している。折り曲げ罫線１５ｃは、隣り合う側板１３，１４の短辺部と、折曲げ片１７の直角を成す二つの辺部との連設部分に沿ってそれぞれ付設している。
【００５４】
折曲げ片１７は、隣り合う側板１３，１４の短辺部を一辺として、正方形を成す大きさ、及び形状に形成している。  
折曲げ片１７を二等分する対角線上には、該折曲げ片１７の直角を成す二つの辺部の交点、すなわち、隣り合う側板１３，１４と折曲げ片１７との連設部分に付設した２本の折り曲げ罫線１５ｃの交点Ｐを起点として、折曲げ片１７の二つ折りが許容される折り曲げ罫線１５ｄを、２本の折り曲げ罫線１５ｃが成す角度を二等分する対角線方向に付設している。
【００５５】
すなわち、四辺の側板１３，１４を、底板１２に対して垂直となるように起立する際、角隅部（四隅部）の折曲げ片１７を、側板１３，１４、及び折曲げ片１７の連設部分に沿って付設した折り曲げ罫線１５ｃと、折曲げ片１７の対角線上に付設した折り曲げ罫線１５ｄとを介して、組み箱１０Ａの内側、あるいは、外側に向けて三角形状に突出する状態に折り曲げることができる。
【００５６】
さらに、折り曲げ罫線１５ｄを、２本の折り曲げ罫線１５ｃの交点Ｐよりも底板１２側に向けて所定長さ延長しているので、２本の折り曲げ罫線１５ｃの交点部分に生じる折り曲げ抵抗が小さく、折曲げ片１７を、２本の折り曲げ罫線１５ｃが交差する交点Ｐまで確実に折り曲げることができる。
【００５７】
この結果、組み箱１０Ａの折曲げ片１７を折り曲げてなる角隅部に液漏れするような隙間が生じさせることなく、鋭角となる折り曲げ角度により正確に折り曲げることができる。  
なお、折り曲げ罫線１５ｄは、対角線上に位置する二つの交点Ｐを結ぶ長さに延長してもよい。
【００５８】
側板１３の折曲げ片１７と対応する幅方向左右上辺部には、平行する２本の折り曲げ罫線１５ｅを介して、折曲げ片１７と略同一の大きさ、及び形状に形成した折返し片１８を折り曲げ可能にそれぞれ連設している。折り曲げ罫線１５ｅは、側板１３の上辺部と折返し片１８の基端部との連設部分に沿って付設している。
【００５９】
２本の折り曲げ罫線１５ｅは、側板１３の内面、あるいは、外面に沿うように折り曲げた三角形状の折曲げ片１７に対して折返し片１８の重ね合わせが許容される間隔を隔てて付設している。  
すなわち、折り曲げ罫線１５ｅの間隔は、約０．６ｍｍの無機鉱物粉末含有シートを２枚分重ね合わせた折曲げ片１７の肉厚と対応する間隔、あるいは、その肉厚よりも幅広となる間隔に設定している。
【００６０】
これにより、折返し片１８を、側板１３の内面、あるいは、外面に沿うように折り曲げた折曲げ片１７に対して重ね合わされるように折り返すことができる。  
なお、折返し片１８を、側板１３の内面、あるいは、外面に沿うように折り曲げた折曲げ片１７に対して重ね合わされるよう折り曲げが可能であるならば、折り曲げ罫線１５ｅの間隔を、上述した間隔よりも幅狭に設定してもよい。あるいは、折り曲げ罫線１５ｅの付設本数を、１本又は複数本に変更してもよい。
【００６１】
折返し片１８における側板１３の幅方向中央部と対応する角隅部には、平行する２本の折り曲げ罫線１５ｆを介して、三角形状の差込み片１９を折り曲げ可能に連設している。
【００６２】
折り曲げ罫線１５ｆは、側板１３と折返し片１８との連設部分に付設した上段側の折り曲げ罫線１５ｅよりも上位に付設され、側板１３の幅方向中央上辺部から幅方向左右上辺部に向けて徐々に高くなる角度θ（４５度）に傾斜している。
【００６３】
すなわち、折り曲げ罫線１５ｆは、側板１３の内面、あるいは、外面に沿うように折り曲げた三角形状を有する折曲げ片１７の斜辺部１７ａに沿って折り曲げが許容される角度θに傾斜している。
【００６４】
さらに、折り曲げ罫線１５ｆは、側板１３と折返し片１８との連設部分に付設した外側の折り曲げ罫線１５ｅに対して所定間隔を隔てた上位箇所を起点として上述の角度θに傾斜して付設している。
【００６５】
２本の折り曲げ罫線１５ｆは、側板１３の内面、あるいは、外面に沿うように折り曲げた三角形状の折曲げ片１７と、該折曲げ片１７を沿わせた側板１３との間に対して差込みが許容される間隔を隔てて付設している。
【００６６】
すなわち、折り曲げ罫線１５ｆの間隔は、折り曲げ罫線１５ｅの間隔と対応する間隔に設定しており、折曲げ片１７の肉厚と対応する間隔、あるいは、その肉厚よりも幅広となる間隔に設定している。
【００６７】
これにより、差込み片１９を、側板１３の内面、あるいは、外面に沿うように折り曲げた折曲げ片１７と、該折曲げ片１７を沿わせた側板１３との間に対して差込みが許容されるように折り返すことができる。
【００６８】
なお、差込み片１９を、側板１３と折曲げ片１７との間に対して差込みが許容されるように折り返しが可能であるならば、折り曲げ罫線１５ｆの間隔を、上述した間隔よりも幅狭に設定してもよい。あるいは、折り曲げ罫線１５ｆの付設本数を、１本又は複数本に変更してもよい。
【００６９】
折り曲げ罫線１５ａ〜１５ｆは、無機鉱物粉末含有シート（ストーンペーパー）を、トムソン型の型抜き機にて組み箱１０Ａを展開した箱展開シート１１と対応する大きさ、及び形状に型抜きする際、前後辺部１２ａ、及び前後側板１３の連設部分と、左右辺部１２ｂ、及び左右側板１４の連設部分と、側板１３，１４、及び折曲げ片１７の連設部分と、折曲げ片１７、及び折返し片１８の連設部分とにそれぞれ付設する（図２参照）。
【００７０】
上述の箱展開シート１１を折り曲げて、図１に示す箱形態の組み箱１０Ａに組み立てる際の組み立て手順を説明する。  
先ず、図２の箱展開シート１１における前後側板１３と左右側板１４とを折り曲げ罫線１５ａ，１５ｂに沿って折り曲げ、底板１２に対して垂直となるように起立する（図１、図３参照）。
【００７１】
側板１３，１４を起立する際、隣り合う側板１３，１４の間に連設した折曲げ片１７を、側板１３，１４と折曲げ片１７との連設部分に付設した折り曲げ罫線１５ｃと、該折曲げ片１７の対角線上に付設した折り曲げ罫線１５ｄとを介して、起立する側板１３，１４の内側に向けて三角形状に突出するように折り曲げるとともに、側板１３の内面側に沿うように折り曲げる（図３の実線参照）。
【００７２】
続いて、側板１３の左右上辺部に連設した折返し片１８を、側板１３と折返し片１８との連設部分に付設した折り曲げ罫線１５ｅを介して、起立する側板１３の内面側に沿わせるように折り返すとともに、先に折り曲げられた折曲げ片１７に対して内側から重ね合わせる（図４（ａ）参照）。
【００７３】
さらに、折返し片１８に連設した差込み片１９を、折返し片１８と差込み片１９との連設部分に付設した折り曲げ罫線１５ｆを介して、先に折り曲げられた折曲げ片１７の斜辺部１７ａに沿って、側板１３と折曲げ片１７との間に対して差し込まれるように折り返しながら、側板１３と折曲げ片１７との間に下方から差し込んで係止する（図４（ｂ）（ｃ）参照）。  
これにより、実施例１の組み箱１０Ａを、上方が開放された箱形態に組み立てることができる（図１参照）。
【００７４】
上述のように折り返した折返し片１８、及び差込み片１９は、箱展開シート１１自体の復元力によって折り返し前の状態に復帰しようとするが、その復元力によって、差込み片１９の先端側が側板１３の内面側に対して押し付けられるため、折返し片１８、及び差込み片１９が折り返し前の状態に復帰することを阻止できる。
【００７５】
さらに、差込み片１９が側板１３と折曲げ片１７とで挟持されるため、折返し片１８、及び差込み片１９が折り返し前の状態に復帰することを積極的に阻止することができ、差込み片１９が側板１３と折曲げ片１７との間から引き抜かれることを防止できる。
【００７６】
すなわち、折返し片１８を、折曲げ片１７に対して重ね合わされるように折り返したうえ、折返し片１８の差込み片１９を折り返して側板１３と折曲げ片１７との間に差し込むため、折曲げ片１７を側板１３に沿うように折り曲げた状態により確実に保持することができる。
【００７７】
この結果、組み箱１０Ａにおける角隅部の折曲げ片１７が三角形状に折り曲げた状態に保持されるとともに、側板１３の内面側に対して押し付けた状態に保持されるので、箱形態に組み立てた組み箱１０Ａの角隅部（実施例１における四隅部）に液漏れするような隙間が生じことを防止できる。さらに、高い止水性を確保することができるうえ、止水された状態を長期に亘って保つことができる。
【００７８】
また、上方が開放された箱形態の組み箱１０Ａを、例えば、花瓶、植木鉢等の容器を机の上に置くための受皿として使用したり、単数又は複数の容器を収容するための容器収容箱として使用する際、上述の容器から水が漏洩しても、組み箱１０Ａで受け止められるため、組み箱１０Ａの外部に水が漏れ出すことを確実に防止できる。
【００７９】
さらに、組み箱１０Ａの内部に、例えば、液体を所定量貯液したり、土を所定量敷設する等しても、組み箱１０Ａの角隅部から水が漏れ出すことを防止でき、所望する植物の栽培にも使用できる。
【００８０】
さらにまた、無機鉱物粉末含有シートからなる組み箱１０Ａは、焼却時の燃焼カロリーが紙の約半分程度であり、有毒ガスを発生せず、自然環境に及ぼす影響が少ないので、一般ゴミとして焼却処理することができる。
【００８１】
加えて、組み箱１０Ａを展開する場合、折返し片１８の差込み片１９を側板１３と折曲げ片１７との間から引き抜くだけで、組み箱１０Ａの全体を図２に示す状態に展開することができる。  
これにより、多数枚の箱展開シート１１を上下に重ね合わせて運搬することができるだけでなく、箱形態に組み立てた状態よりも嵩が低くなるため、運搬や保管するのに大変便利である。
【００８２】
一方、組み箱１０Ａにおける角隅部の折曲げ片１７は、側板１３，１４、及び折曲げ片１７の連設部分に付設した折り曲げ罫線１５ｃと、折曲げ片１７の対角線上に付設した折り曲げ罫線１５ｄとを介して、起立する側板１３，１４の外側に向けて三角形状に突出するように折り曲げることができる（図５参照）。
【００８３】
図５は各片１７，１８，１９を外側に折り曲げて組み立てた組み箱１０Ａの斜視図であり、詳しくは、箱展開シート１１における折曲げ片１７、折返し片１８、及び差込み片１９を外側に折り曲げて、上方が開放された箱形態に組み立てた組み箱１０Ａの斜視図である。
【００８４】
上述の箱展開シート１１における前後側板１３と左右側板１４とを起立する際、隣り合う側板１３，１４の間に連設した折曲げ片１７を、起立する側板１３，１４の外側に向けて三角形状に突出するように折り曲げるとともに、側板１３の外面側に沿うように折り曲げる。
【００８５】
この後、側板１３の左右上辺部に連設した折返し片１８を、起立する側板１３の外面側に沿わせるように折り返すとともに、先に折り曲げられた折曲げ片１７に対して外側から重ね合わせる。
【００８６】
続いて、折返し片１８に連設した差込み片１９を、先に折り曲げられた折曲げ片１７の斜辺部１７ａに沿って、側板１３と折曲げ片１７との間に対して差し込まれるように折り返しながら、側板１３と折曲げ片１７との間に下方から差し込んで係止する。
【００８７】
すなわち、上述の箱展開シート１１における前後側板１３と左右側板１４とを起立する際、折曲げ片１７、折返し片１８、及び差込み片１９を外側に折り曲げることにより、組み箱１０Ａを、図５に示す箱形態に組み立てることができる。
【００８８】
さらに、折返し片１８、及び差込み片１９の折り返しによって、組み箱１０Ａにおける角隅部の折曲げ片１７が三角形状に折り曲げた状態に保持されるとともに、側板１３の外面側に対して押し付けた状態に保持される。
【００８９】
この結果、箱形態に組み立てた組み箱１０Ａの角隅部に液漏れが生じることを防止でき、止水性を確保することができる。  
したがって、図５の組み箱１０Ａを、図１の組み箱１０Ａと同様に容器を机の上に置くための受皿として使用したり、単数又は複数の容器を収容するための容器収容箱として使用することができる。
【００９０】
（実施例２）  
上述の実施例１では、上方が開放された箱形態の組み箱１０Ａを、容器を机の上に置くための受皿、あるいは、単数又は複数の容器を収容するための容器収容箱として使用する例を説明したが、図６に示すように、実施例１の箱展開シート１１を折り曲げて、上方が開放された箱本体と、下方が開放された蓋体との箱形態に組み立てる実施例２の組み箱１０Ａ，１０Ｂについて説明する。
【００９１】
図６は実施例２の組み箱１０Ａ，１０Ｂを箱本体と蓋体として組み立てた状態の斜視図である。  
詳述すると、箱展開シート１１における前後側板１３と左右側板１４とを底板１２に対して垂直となるように起立する際、折曲げ片１７、折返し片１８、及び差込み片１９を内側に折り曲げて、上方が開放された箱形態に組み立てた第１の組み箱１０Ａを箱本体とする。
【００９２】
一方、箱展開シート１１における折曲げ片１７、折返し片１８、及び差込み片１９を外側に折り曲げて、下方が開放された箱形態に組み立てた第２の組み箱１０Ｂを蓋体とする。つまり、第２の組み箱１０Ｂを、第１の組み箱１０Ａを閉塞するための蓋体として用いることができる。
【００９３】
しかも、組み箱１０Ａの折曲げ片１７、折返し片１８、及び差込み片１９は内側に折り曲げられ、組み箱１０Ｂの折曲げ片１７、折返し片１８、及び差込み片１９は外側に折り曲げられているので、第２の組み箱１０Ｂを、第１の組み箱１０Ａに嵌合した際、第１の組み箱１０Ａの外面と、第２の組み箱１０Ｂの内面とが互いに密着されることになる。  
この結果、上述の実施例１と同様に、組み箱１０Ａ，１０Ｂの角隅部に液漏れが生じことを防止でき、実施例１と略同等の作用及び効果を奏することができる。
【００９４】
（実施例３）  
上述の実施例１では、折返し片１８の差込み片１９を、側板１３と折曲げ片１７との間に差し込んで箱形態に組み立てる組み箱１０Ａについて説明したが、図７に示すように、側板１３の幅方向左右上辺部に連設した折返し片２８の差込み片２９を、折曲げ片１７に形成したスリット状の差込み孔１７ｂに上方から差し込んで箱形態に組み立てる実施例３の組み箱１０Ｃについて説明する。
【００９５】
図７は実施例３の折返し片２８、及び差込み片２９の他の折り曲げ状態の説明図であり、詳しくは、図７（ａ）は折返し片２８を内側へ折り返す状態の角隅部拡大図、図７（ｂ）は差込み片２９を折曲げ片１７の差込み孔１７ｂに差込み開始状態の角隅部拡大図、図７（ｃ）は差込み片２９を折曲げ片１７の差込み孔１７ｂに差込み完了状態の角隅部拡大図である。
【００９６】
詳述すると、箱展開シート１１における底板１２、側板１３，１４、及び折曲げ片１７の構成は、実施例１と同一の構成であるので、その詳細な説明を省略する。  
折曲げ片１７を側板１３の内面側に沿うように折り曲げた状態において、折曲げ片１７における側板１３の幅方向左右上辺部に連設した折返し片２８が重ね合わされる重合部分には、折返し片２８の上端に連設した差込み片２９の差込みが許容されるスリット状の差込み孔１７ｂを形成している。
【００９７】
差込み孔１７ｂは、差込み片２９が差し込まれる方向と対向して弧状に突出する形状に形成している。差込み片２９は、２本の折り曲げ罫線１５ｅを介して、折返し片２８の上端に対して折り曲げ可能に連設している。
【００９８】
実施例３の組み箱１０Ｃを組み立てる場合、箱展開シート１１における前後側板１３と左右側板１４とを、底板１２に対して垂直となるように起立する際、あるいは、起立した後、隣り合う側板１３，１４の間に連設した折曲げ片１７を、起立する側板１３，１４の内側に向けて三角形状に突出するように折り曲げ、側板１３の内面側に沿うように折り曲げる。
【００９９】
続いて、前後側板１３の幅方向左右上辺部に連設した折返し片２８を、起立する側板１３の内面側に沿わせるように折り返すとともに、先に折り曲げられた折曲げ片１７に対して内側から重ね合わせる（図７（ａ）参照）。
【０１００】
さらに、折返し片２８の差込み片２９を、折曲げ片１７の差込み孔１７ｂに上方から差し込んで係止する（図７（ｂ）（ｃ）参照）。  
これにより、実施例３の組み箱１０Ｃを、上方が開放された箱形態に組み立てることができる。
【０１０１】
上述のように折り返した折返し片２８、及び差込み片２９は、箱展開シート１１自体の復元力によって折り返し前の状態に復帰しようとするが、その復元力によって、折曲げ片１７の折曲げ側内面に対して押し付けられる。
【０１０２】
さらに、折返し片２８の差込み片２９を折曲げ片１７の差込み孔１７ｂに差し込むとともに、その差し込まれた差込み片２９を折曲げ片１７にて挟持するため、折返し片２８、及び差込み片２９が折り返し前の状態に復帰することをより積極的に阻止することができ、差込み片２９が折曲げ片１７の差込み孔１７ｂから引き抜かれることを防止できる。
【０１０３】
すなわち、折返し片２８を、折曲げ片１７に対して重ね合わされるように折り返したうえ、折返し片２８の差込み片２９を折曲げ片１７の差込み孔１７ｂに差し込むため、折曲げ片１７を側板１３に沿うように折り曲げた状態により確実に保持することができる。
【０１０４】
この結果、組み箱１０Ｃにおける角隅部の折曲げ片１７が三角形状に折り曲げた状態に保持されるとともに、側板１３の内面側に対して押し付けた状態に保持されるので、箱形態に組み立てた組み箱１０Ｃの角隅部に液漏れが生じることをより確実に防止できる。高い止水性を確保することができるうえ、止水された状態を長期に亘って保つことができる。  
したがって、実施例１の組み箱１０Ａと略同等、あるいは、同等以上の作用及び効果を奏することができる。
【０１０５】
（実施例４）  
上述の実施例１〜３では、上方を開放した箱形態に組み立てる組み箱１０Ａ，１０Ｂ，１０Ｃについて説明したが、図８に示すように、上方の開放された部分を覆う大きさ、及び形状に形成した蓋体１６を開閉可能に連設した実施例４の組み箱１０Ａについて説明する。
【０１０６】
図８は実施例４の蓋体１６を開閉可能に連設した組み箱１０Ａの斜視図である。  
詳述すると、蓋体１６は、組み箱１０Ａの上方に向けて開放された開口部の全体を覆う大きさ、及び形状に形成している。
【０１０７】
蓋体１６の基端部は、折り曲げ罫線１５ｊを介して、底板１２の左右辺部１２ｂに連設した左右側板１４のうちいずれか一方の側板１４の上辺部に対して折り曲げ可能に連設している。  
さらに、蓋体１６の遊端部には、折り曲げ罫線１５ｋを介して、他方の側板１４の内面に沿って挿入される挿入片１６ａを折り曲げ可能に連設している。
【０１０８】
すなわち、一方の側板１４に連設した蓋体１６を、組み箱１０Ａの開口部を覆う方向へ折り曲げるとともに、蓋体１６の挿入片１６ａを、組み箱１０Ａにおける他方の側板１４の内面に沿って挿入することにより、組み箱１０Ａの開口部を蓋体１６にて閉塞することができる。
【０１０９】
この結果、実施例１と同様に、組み箱１０Ａの角隅部に液漏れが生じことを防止できる。止水性を確保することができるうえ、組み箱１０Ａの内部に、例えば、塵埃やゴミ等の異物が侵入することを蓋体１６にて防ぐことができる。
【０１１０】
（実施例５）  
上述の実施例１では、折返し片１８の差込み片１９を、側板１３と折曲げ片１７との間に差し込んで箱形態に組み立てる組み箱１０Ａについて説明したが、図９、図１０に示すように、側板１３の上辺部に連設した横長の折返し片３８、及び差込み片３９を折り返しながら、該差込み片３９を側板１３と折曲げ片１７との間に下方から差し込んで箱形態に組み立てる実施例５の組み箱１０Ｄについて説明する。
【０１１１】
図９は実施例５の箱形態に組み立てた組み箱１０Ｄの斜視図、図１０は図９の折曲げ片１７を折り曲げ、折返し片３８を起立した状態の斜視図である。  
詳述すると、側板１３の上辺部には、平行する２本の折り曲げ罫線１５ｇを介して、側板１３と略同一長さに形成した横長の折返し片３８を折り曲げ可能に連設している。
【０１１２】
折返し片３８の幅方向中央上辺部には、平行する２本の折り曲げ罫線１５ｈを介して、折返し片３８よりも短尺に形成した横長の差込み片３９を折り曲げ可能に連設している。
【０１１３】
折返し片３８の折曲げ片１７と対応する幅方向左右上辺部には、折り曲げ罫線１５ｉを介して、弧状の差込み片４０を折り曲げ可能に連設している。  
折曲げ片１７の折返し片３８が重ね合わされる重合部分には、折返し片３８の幅方向左右上辺部に連設した差込み片４０の差込みが許容されるスリット状の差込み孔１７ｂを形成している。
【０１１４】
実施例５の組み箱１０Ｄを組み立てる場合、箱展開シート１１における前後側板１３と左右側板１４とを、底板１２に対して垂直となるように起立する際、あるいは、起立した後、隣り合う側板１３，１４の間に連設した折曲げ片１７を、起立する側板１３，１４の外側に向けて三角形状に突出するように折り曲げ、側板１３の外面側に沿うように折り曲げる（図１０参照）。
【０１１５】
続いて、側板１３の上辺部に連設した折返し片３８を、起立する側板１３の外面側に沿わせるように折り返すとともに、先に折り曲げられた左右の折曲げ片１７に対して外側から重ね合わせる（図１０の二点鎖線参照）。
【０１１６】
折返し片３８の幅方向中央上辺部に連設した差込み片３９を、側板１３と左右の折曲げ片１７との間に差し込まれるように折り返しながら、側板１３と左右の折曲げ片１７との間に下方から差し込んで係止するとともに、その差込み片３９の幅方向両端部を、左右の折曲げ片１７の鋭角に折り曲げられた角部分に係止する。
【０１１７】
さらに、折返し片３８の差込み片４０を、折曲げ片１７に形成したスリット状の差込み孔１７ｂに上方から差し込んで係止する。  
これにより、実施例５の組み箱１０Ｄを、上方が開放された箱形態に組み立てることができる（図９参照）。
【０１１８】
上述のように折り返した折返し片３８、及び差込み片３９は、箱展開シート１１自体の復元力によって折り返し前の状態に復帰しようとするが、その復元力によって、差込み片３９の先端側が側板１３の外面側に対して押し付けられるため、折返し片３８、及び差込み片３９が折り返し前の状態に復帰することを阻止できる。
【０１１９】
さらに、差込み片３９を側板１３と折曲げ片１７とで挟持するため、折返し片３８、及び差込み片３９が折り返し前の状態に復帰することをより積極的に阻止することができ、差込み片３９が側板１３と折曲げ片１７との間から引き抜かれることを防止できる。
【０１２０】
すなわち、折返し片３８を、左右の折曲げ片１７に対して重ね合わされるように折り返したうえ、折返し片３８の差込み片３９を折り返して側板１３と折曲げ片１７との間に差し込むため、左右の折曲げ片１７を、横長の折返し片３８、及び差込み片３９の折り返しによって、側板１３に沿うように折り曲げた状態により確実に保持することができる。
【０１２１】
この結果、組み箱１０Ｄにおける角隅部の折曲げ片１７が三角形状に折り曲げた状態に保持されるとともに、側板１３の外面側に対して押し付けた状態に保持されるので、実施例５における組み箱１０Ｄの角隅部に液漏れが生じことをより確実に防止できる。高い止水性を確保することができるうえ、止水された状態を長期に亘って保つことができる。  
したがって、実施例１の組み箱１０Ａと略同等の作用及び効果を奏することができる。
【０１２２】
さらに、折返し片３８の差込み片４０を折曲げ片１７の差込み孔１７ｂに差し込んで、角隅部の折曲げ片１７を三角形状に折り曲げた状態に保持するため、折曲げ片１７が折り返し前の状態に復帰することをより積極的に阻止することができる。  
これにより、組み箱１０Ｄの角隅部に液漏れが生じることをより確実に防止でき、より高い止水性を確保することができる。
【０１２３】
（実施例６）  
上述の実施例５では、折返し片３８の差込み片３９を、側板１３の外面側に沿うように折り返した折曲げ片１７に係止して箱形態に組み立てる組み箱１０Ｄについて説明したが、図１１に示すように、折返し片３８の差込み片３９を、折曲げ片１７の斜辺部１７ａに形成した段部１７ｃに係止して箱形態に組み立てる実施例６の組み箱１０Ｄについて説明する。
【０１２４】
図１１は実施例６の箱形態に組み立てた組み箱１０Ｄの正面図であり、詳しくは、図１１（ａ）は折返し片３８、及び差込み片３９を起立した状態の正面図、図１１（ｂ）は折返し片３８、及び差込み片３９を折り返した状態の正面図である。
【０１２５】
詳述すると、折曲げ片１７を側板１３の外面側に沿うように折り曲げた状態において、折曲げ片１７における斜辺部１７ａの一部を切り欠いて、差込み片３９の幅方向左右辺部が係止される段部１７ｃを形成している。
【０１２６】
実施例６の組み箱１０Ｄを組み立てる場合、箱展開シート１１における前後側板１３と左右側板１４とを底板１２に対して垂直となるように起立する際、あるいは、起立した後、隣り合う側板１３，１４の間に連設した折曲げ片１７を、側板１３の外面側に沿うように折り曲げる（図１１（ａ）参照）。
【０１２７】
続いて、側板１３に連設した折返し片３８、及び差込み片３９を、起立する側板１３の外面側に沿わせるように折り返すとともに、該差込み片３９の幅方向左右辺部を折曲げ片１７の斜辺部１７ａに形成した段部１７ｃに係止する（図１１（ｂ）参照）。
【０１２８】
これにより、実施例６の組み箱１０Ｄを、上方が開放された箱形態に組み立てることができる。  
上述した折返し片３８、及び差込み片３９の折り返しによって、組み箱１０Ｄにおける角隅部の折曲げ片１７が三角形状に折り曲げた状態に保持されるとともに、側板１３の外面側に対して押し付けた状態に保持される。
【０１２９】
実施例５における差込み片３９の幅方向両端部を、側板１３の外面側に沿うように折り曲げた折曲げ片１７の角部分に係止する係止構造に比べて、実施例６の係止構造の方が、差込み片３９の折曲げ片１７に対する係止面積が大きく、深く係止されるため、差込み片３９を折曲げ片１７に対してより強固に係止することができる。
【０１３０】
この結果、組み箱１０Ｄの角隅部に液漏れが生じことをより積極的に防止でき、より高い止水性を確保することができるとともに、止水された状態を長期に亘って保つことができる。さらに、箱形態に組み立てた状態を維持するのに必要な強度を確保することができる。
【０１３１】
しかも、図示しない複数の容器が収容された組み箱１０Ｄを手で持ち運ぶ際、折曲げ片１７の段部１７ｃに係止された差込み片３９の折曲げ部分に指を掛けても、折返し片３８の差込み片３９が折曲げ片１７の段部１７ｃから抜き取られにくく、持ち運ぶのに必要な強度を確保することができる。
【０１３２】
なお、上述の差込み片３９を折曲げ片１７に係止する実施例５，６の係止構造において、折曲げ片１７を側板１３に沿うように折り曲げた状態に保持することが可能であれば、差込み片３９、及び差込み孔１７ｂを設けなくてもよい。
【０１３３】
（実施例７）  
上述の実施例１〜５では、折返し片１８，２８，３８、及び差込み片１９，２９，３９の折り返しによって、組み箱１０Ａ〜１０Ｄにおける角隅部の折曲げ片１７を折り曲げた状態に保持する例を説明したが、図１２〜図１４に示すように、組み箱１０Ｅを形態保持箱５０に収容して、組み箱１０Ｅにおける角隅部の折曲げ片１７を側板１３，１４の外面側に沿うように折り曲げた状態に保持する実施例７の組み箱１０Ｅについて説明する。
【０１３４】
図１２は実施例７の組み箱１０Ｅを上下に重ね合わせた状態の斜視図、図１３は図１２の組み箱１０Ｅを形態保持箱５０に収容する状態の斜視図、図１４は図１２の組み箱１０Ｅを形態保持箱５０に収容した状態の平面図である。
【０１３５】
詳述すると、組み箱１０Ｅは、正方形に形成した底板１２と、底板１２の前後辺部１２ａに連設した側板１３と、左右辺部１２ｂに連設した側板１４と、隣り合う側板１３，１４の間に連設した角隅部の折曲げ片１７とで構成している。
【０１３６】
上述の組み箱１０Ｅは、図２に示す状態に展開することが可能であるだけでなく、底板１２の連設した側板１３，１４を下辺部から上辺部に向けて徐々に広くなる角度に傾斜した状態に起立するとともに、隣り合う側板１３，１４の間に連設した折曲げ片１７を外側に向けて突出した状態に展開することも可能である（図１２参照）。
【０１３７】
すなわち、図１２に示す状態に展開した組み箱１０Ｅを上下に重ね合わせる際、上側に配置される組み箱１０Ｅの側板１３，１４、及び折曲げ片１７と、下側に配置される組み箱１０Ｅの側板１３，１４、及び折曲げ片１７とを互いに重ね合わせる。
【０１３８】
この結果、上下に重ね合わせた組み箱１０Ｅの間にガタツキやズレ等が生じにくく、多数枚の組み箱１０Ｅを上下に安定して重ね合わせることができる。しかも、箱形態に組み立てた状態よりも嵩が低くなるため、運搬や保管するのに大変便利である。  
なお、上述の組み箱１０Ｅと同様に、組み箱１０Ａ〜１０Ｄを、図１２に示す状態に展開すれば、多数枚を上下に重ね合せることができる。
【０１３９】
一方、組み箱１０Ｅを収容する形態保持箱５０は、組み箱１０Ｅよりも一回り大きい正方形に形成するとともに、上方が開放された箱形態に形成している。  
実施例７では組み箱１０Ｅ、及び形態保持箱５０を正方形に形成しているが、長方形に形成してもよい。  
なお、組み箱１０Ｅ、及び形態保持箱５０の大きさ、及び形状は、収容される収容物の種類、収容量、収容形態等に応じて変更するものとする。
【０１４０】
組み箱１０Ｅの前後側板１３、及び左右側板１４と対向する形態保持箱５０の前後側壁５１、及び左右側壁５２は、形態保持箱５０に収容された組み箱１０Ｅの前後側板１３、及び左右側板１４に対して所定間隔を隔てて立設している。
【０１４１】
側板１３，１４と、側壁５１，５２との間は、組み箱１０Ｅにおける角隅部の折曲げ片１７を、側板１３，１４の外面側に沿うように折り曲げた状態に保持、あるいは、規制する間隔に設定している。
【０１４２】
上述の組み箱１０Ｅを形態保持箱５０に収容する際、組み箱１０Ｅにおける角隅部の折曲げ片１７を同一方向に向けて側板１３，１４の外面側に沿うように折り曲げたまま収容する。
【０１４３】
すなわち、組み箱１０Ｅにおける角隅部の折曲げ片１７は、箱展開シート１１自体の復元力によって折り曲げ前の状態に復帰しようとするが、形態保持箱５０における側壁５１，５２の内壁面に対して押し当てられるため、三角形状に折り曲げた状態に保持、あるいは、規制される。  
さらに、側板１３，１４の外面側に沿うように折り曲げた状態に保持、あるいは、規制される。
【０１４４】
この結果、箱形態に組み立てた組み箱１０Ｅの角隅部に液漏れするような隙間が生じることを防止でき、液漏れ防止に必要な止水性を確保することができるため、実施例１の組み箱１０Ａと略同等の作用及び効果を奏することができる。
【０１４５】
さらに、組み箱１０Ｅの側板１３，１４を形態保持箱５０の側壁５１，５２によって起立した状態に支持するので、組み箱１０Ｅの側板１３，１４に撓みや変形が生じることを防止でき、例えば、容器、液体、土等の収容物を組み箱１０Ｅに収容するのに必要な強度を確保することができる。
【０１４６】
なお、組み箱１０Ｅを形態保持箱５０に収容する際、図５に示すように、組み箱１０Ｅにおける角隅部の折曲げ片１７を、前後側板１３の外面側に沿うように折り曲げたまま収容してもよく、上記実施例７と略同等の作用及び効果を奏することができる。
【０１４７】
この発明の構成と、前記実施形態との対応において、  
この発明の折返し片保持手段は、実施例の差込み孔１７ｂ、段部１７ｃと、差込み片１９，２９，３９，４０に対応するも、  
この発明は、上述の実施形態の構成のみに限定されるものではなく、請求項に示される技術思想に基づいて応用することができ、多くの実施の形態を得ることができる。
【０１４８】
上記実施例では、無機鉱物粉末含有シート（ストーンペーパー）を、トムソン型の型抜き機にて組み箱１０Ａを展開した箱展開シート１１に型抜きするが、例えば、レーザー加工装置から照射されるレーザー光にて切断加工してもよい。
【０１４９】
また、折返し片１８，２８，３８、及び差込み片１９，２９，３９，４０に代わる箱形態保持手段の他の例として、例えば、側板１３、及び折曲げ片１７の重ね合せ部分と、折曲げ片１７、及び折返し片１８，２８，３８の重ね合せ部分とを、例えば、接着剤で接着固定するか、両面粘着テープで粘着固定するか、熱溶着装置、超音波溶接装置などで溶着固定してもよい。
【０１５０】
実施例の組み箱１０Ａ〜１０Ｅは、液漏れ防止加工が施された箱展開シート１１を用いて組み立てるため、例えば、水耕栽培用の液体が含浸された培地（例えば、不織布やマット、シート等）を組み箱１０Ａ〜１０Ｅに直接収容することが可能である。  
さらに、花瓶や植木鉢等を置くための受皿のみに用途が限定されるものではなく、例えば、魚介類、野菜、食品等の収容物を収容する用途にも用いることができる。
【符号の説明】
【０１５１】
１０Ａ，１０Ｂ，１０Ｃ，１０Ｄ，１０Ｅ…組み箱
１１…箱展開シート
１２…底板
１３，１４…側板
１５ａ〜１５ｋ…折り曲げ罫線
１６…蓋体
１７…折曲げ片
１７ａ…斜辺部
１７ｂ…差込み孔
１７ｃ…段部
１８，２８，３８…折返し片
１９，２９，３９，４０…差込み片
５０…形態保持箱
５１，５２…側壁
【図１】
2014221660.tif 000003
【図２】
2014221660.tif 000004
【図３】
2014221660.tif 000005
【図４】
2014221660.tif 000006
【図５】
2014221660.tif 000007
【図６】
2014221660.tif 000008
【図７】
2014221660.tif 000009
【図８】
2014221660.tif 000010
【図９】
2014221660.tif 000011
【図１０】
2014221660.tif 000012
【図１１】
2014221660.tif 000013
【図１２】
2014221660.tif 000014
【図１３】
2014221660.tif 000015
【図１４】
2014221660.tif 000016